(57)【特許請求の範囲】
【請求項１】
少なくとも２つからなる複数のデジタル情報信号をデータ圧縮するデータ圧縮装置であって、前記データ圧縮装置は、
−前記複数の情報信号を入力する入力手段、
−複数の予測信号を得るために前記複数の情報信号に関する予測ステップを実行する予測手段、
−前記複数の予測信号に応じて対応する複数の予測信号を生成する確率信号決定手段、
−第１スイッチング手段に与えられる複数の入力信号のうちの１つにおけるシンボルをその都度選択する第１スイッチング手段、
−前記第１スイッチング手段によって選択された前記シンボルに対応する確率信号をその都度選択する第２スイッチング手段、
−前記第１及び第２スイッチング手段に対するスイッチング制御信号を生成する制御信号生成手段、
−前記第１スイッチング手段によって選択されたシンボルを入力する入力部を有し、出力部においてデータ圧縮された出力信号を得るために、シンボルに関するロスレス符号化ステップを実行するロスレス符号化手段であって、前記第２スイッチング手段によって選択された前記確率信号に応じて前記入力信号に関するロスレス符号化ステップを実行するエントロピー符号器を有する前記ロスレス符号化手段、及び
−前記データ圧縮された出力信号を供給する出力手段、
を有する、データ圧縮装置。
【請求項２】
前記複数の情報信号が前記第１スイッチング手段に関する前記複数の入力信号である、請求項１に記載のデータ圧縮装置。
【請求項３】
請求項１に記載のデータ圧縮装置であって、前記装置は量子化手段及び信号組合せ手段を更に有し、前記量子化手段は、前記複数の情報信号の予測バージョンを得るために前記複数の予測信号を量子化し、前記信号組合せ手段は、複数の残差信号を得るために前記複数の情報信号と前記複数の予測信号とから対応する情報信号と予測信号とを組み合わせ、前記複数の残差信号は、前記第１スイッチング手段に対する前記複数の入力信号である、データ圧縮装置。
【請求項４】
前記エントロピー符号器が算術符号器の形態である、請求項１に記載のデータ圧縮装置。
【請求項５】
少なくとも２つからなる複数のデジタル情報信号をデータ圧縮するデータ圧縮方法であって、前記データ圧縮方法は、
−前記複数の情報信号を入力するステップ、
−複数の予測信号を得るために前記複数の情報信号に関する予測ステップを実行するステップ、
−前記複数の予測信号に応じて対応する複数の確率信号を生成するステップ、
−スイッチング制御信号を生成するステップ、
−前記スイッチング制御信号に応じて複数の入力信号のうちの１つにおけるシンボルをその都度選択するステップ、
−前記スイッチング制御信号に応じて選択された前記シンボルに対応する確率信号をその都度選択するステップ
−データ圧縮された出力信号を得るために前記第１スイッチング手段によって選択されたシンボルをロスレス符号化するステップであって、前記選択された確率信号に応じて前記入力信号に関するロスレス符号化ステップを実行する前記ロスレス符号化ステップ、及び
−前記データ圧縮された出力信号を供給するステップ、
を有する、データ圧縮方法。
【請求項６】
複数のデジタル情報信号を得るためにデータ圧縮されたデジタル入力信号をデータ伸張するデータ伸張装置であって、前記データ伸張装置は、
−前記データ圧縮された入力信号を入力する入力手段、
−前記データ圧縮された入力信号を入力する入力部を有し、出力部においてデータ伸張された出力信号を得るために、前記データ圧縮された入力信号に関するロスレス復号ステップを実行するロスレス復号手段であって、確率信号に応じて前記データ圧縮された入力信号に関する前記ロスレス復号ステップを実行するエントロピー復号器を有するロスレス復号手段、
−データ伸張された出力信号における後続するシンボルを選択し、複数の出力信号を形成するために複数の出力のうちの１つに前記シンボルを周期的に供給する第１スイッチング手段、
−前記複数の情報信号を供給する出力手段、
−複数の対応する予測信号を得るために前記複数の情報信号に関する予測ステップを実行する予測手段、
−前記複数の予測信号に応じて対応する確率信号を生成する確率信号決定手段、及び
−前記複数の確率信号から確率信号をその都度選択し、前記選択された確率信号を前記ロスレス復号手段に供給する第２スイッチング手段、
を有する、データ伸張装置。
【請求項７】
前記複数の出力信号が前記複数の情報信号である、請求項６に記載のデータ伸張装置。
【請求項８】
請求項６に記載のデータ伸張装置であって、前記装置が更に量子化手段と信号組合せ手段とを有し、前記量子化手段は、前記複数の情報信号の予測バージョンを得るために前記複数の予測信号を量子化し、前記信号組合せ手段は、前記複数の情報信号を得るために対応する出力と予測信号とを組み合わせる、データ伸張装置。
【請求項９】
前記エントロピー復号器が算術復号器の形態である、請求項６に記載のデータ伸張装置。
【請求項１０】
複数のデジタル情報信号を得るためにデータ圧縮されたデジタル入力信号をデータ伸張するデータ伸張方法であって、前記データ伸張方法は
−前記データ圧縮された入力信号を入力するステップ、
−データ伸張された出力信号を得るために、確率信号に応じて前記データ圧縮された入力信号に関するロスレス復号ステップを実行するステップ、
−前記データ伸張された出力信号における後続するシンボルを選択し、複数の出力信号を形成するために複数の出力のうちの１つに前記シンボルを周期的に供給するステップ、
−前記複数の情報信号を供給するステップ、
−複数の対応する予測信号を得るために前記複数の情報信号に関する予測ステップを実行するステップ、
−前記複数の予測信号に応じて対応する確率信号を生成するステップ、及び
−前記複数の確率信号からその都度確率信号を選択し、前記選択された確率信号を前記ロスレス復号手段に供給するステップ、
を有するデータ伸張方法。
【請求項１１】
請求項１乃至４の何れか一項に記載のデータ圧縮装置を有する、送信媒体を介してデジタル情報信号を送信する送信機であって、前記送信機は前記エントロピー符号器の出力信号を誤り訂正符号化及び／又はチャンネル符号化する誤り訂正符号化手段及び／又はチャンネル符号化手段と、前記誤り訂正符号化及び／又はチャンネル符号化された前記エントロピー符号器の出力信号を前記送信媒体に与える送信手段とを更に有する送信機。
【請求項１２】
請求項１１に記載の送信機であって、前記送信機が記録担体上にデジタル情報信号を記録する装置の形態であり、前記送信手段が前記記録担体に前記エントロピー符号器の誤り訂正符号化及び／又はチャンネル符号化出力信号を書き込む書き込み手段の形態である送信機。
【請求項１３】
前記記録担体が光学又は磁気記録担体である請求項１２に記載の送信機。
【請求項１４】
前記エントロピー符号器の誤り訂正符号化及び／又はチャンネル符号化出力信号を具備することを特徴とする請求項１２に記載の送信機で得られた記録担体。
【請求項１５】
請求項６乃至９の何れか一項に記載のデータ伸張装置を有する、送信媒体を介してデジタル情報信号を受信する受信機であって、前記受信機は更に前記送信から誤り訂正符号化及び／又はチャンネル符号化送信信号を取り出す受信手段と、前記エントロピー符号器に対する前記入力信号を得るために、前記誤り訂正符号化及び／又はチャンネル符号化送信信号をチャンネル復号及び／又は誤り訂正復号するチャンネル復号及び／又は誤り訂正手段とを有する受信機。
【請求項１６】
請求項１５に記載の受信機であって、前記受信機が記録担体から前記デジタル情報信号を読み取る装置の形態であり、前記受信手段が前記記録担体から前記誤り訂正符号化及び／又はチャンネル符号化送信信号を読み取る読み取り手段の形態である受信機。
【請求項１７】
請求項１６に記載の受信機であって、前記記録担体が光学又は磁気記録担体である受信機。
【発明の詳細な説明】
技術分野
本発明は、少なくとも２つからなる複数のデジタル情報信号をデータ圧縮するデータ圧縮装置に関する。本発明は、データ圧縮方法、データ伸張装置、データ圧縮装置を具備する送信装置、この送信装置に使われる記録担体、及びデータ伸張装置を具備する受信装置にも関する。
背景技術
以下のことを目的とするデータ圧縮及び伸張は、ロスレス符号器、特に算術符号器／復号器に基づくデータ圧縮／伸張である。
算術符号器を用いたロスレス符号化は、文献Ｄ１に広く記載されている。さらにＤ２及びＤ３は、算術符号器／復号器を用いたデータ圧縮及び伸張への広域な導入を述べている。
発明の開示
本発明の目的は、複数のデジタル情報信号にデータ圧縮／伸張を供給することである。本発明に係るデータ圧縮装置は、
−複数の情報信号を入力する入力手段、
−複数の予測信号を得るために複数の情報信号に関する予測ステップを実行する予測手段、
−複数の予測信号に応じて対応する複数の確率信号を生成する確率信号決定手段、
−第１スイッチング手段に与えられる複数の入力信号のうちの１つにおけるシンボルをその都度選択する第１スイッチング手段、
−この第１スイッチング手段で選択されたシンボルに対応する確率信号をその都度選択する第２スイッチング手段、
−これら第１及び第２スイッチング手段に対するスイッチング制御信号を生成する制御信号生成手段、
−第１スイッチング手段によって選択されたシンボルを入力する入力部を有し、出力部にデータ圧縮された出力信号を得るために、シンボルに関するロスレス符号化ステップを実行するロスレス符号化手段であって、第２スイッチング手段によって選択された確率信号に応じて入力信号に関するロスレス符号化ステップを実行するエントロピー符号器を有するロスレス符号化手段、及び
−前記データ圧縮された出力信号を供給する出力手段、
を有する。
このやり方で、たった１つの算術符号器だけが複数のデジタル情報信号を符号化するのに必要とされる。さらに、複数のデジタル情報信号の１つのシンボルが、この算術符号器に供給されるシリアルデータストリームにその都度多重化できるので、必要とされるバッファはより小さい。
【図面の簡単な説明】
第１図は、データ圧縮装置の第１実施例を示す。
第２図は、データ圧縮装置の第２実施例を示す。
第３図は、データ伸張装置の第１実施例を示す。
第４図は、データ伸張装置の第２実施例を示す。
第５図は、送信機に含まれたデータ圧縮装置を記録装置の形態で示す。
第６図は、受信機に含まれたデータ伸張装置を再生装置の形態で示す。
発明を実施するための最良の形態
第１図は、多重チャンネル信号を算術的に符号化するデータ圧縮装置の第１実施例を示す。第１図の装置は、ステレオオーディオ信号の左側及び右側信号成分のような２チャンネル情報信号を符号化する。これら信号成分は、ビットストリーム信号形態又はｎが２以上のｎレベルのデジタル信号形態のようなデジタル形態である。この装置は、前記左側及び右側信号成分をそれぞれ入力する２つの入力端子１及び２を有する。これら入力端子１及び２はそれぞれ、スイッチ４のａ端子及びｂ端子と、予測フィルタ６及び８の入力部とにそれぞれ結合される。予測フィルタ６の出力部は、確率決定ユニット１２を介してスイッチ１０のａ端子に結合される。予測フィルタ８の出力部は、確率決定ユニット１４を介してスイッチ１０のｂ端子に結合される。スイッチ４のｃ端子は算術符号器１８の情報信号入力部１６に接続される。このスイッチ１０のｃ端子は、算術符号器１８の確率信号入力部２０に結合される。この算術符号器１８の出力部は、この装置の出力端子２２に結合される。制御ユニット２４は、スイッチ４及び１０にスイッチング制御信号を生成させるのに利用する。
予測フィルタ６は、入力信号の予測バージョンを得るために、入力端子１に供給される入力信号に関して予測フィルタリングを実現し、このバージョンは多値出力信号の形態である。この確率決定ユニット１２は、この多値出力信号に応じて確率信号を生成する。理想的には、予測フィルタ８は入力信号の予測バージョンを得るために、入力端子２に供給される入力信号に関する予測フィルタリングを実現する。このバージョンは多値出力信号の形態である。確率決定ユニット１４は、この多値出力信号に応じて予測信号を生成する。特に、確率決定ユニット１２及び１４は、それぞれ入力端子１及び２に与えられた入力信号のシリアルデータストリームに起こるシンボルの各シンボル値が発生する確率を示す確率値をそれぞれ供給する。
制御ユニット２４は、前記スイッチが両方とも位置ａ−ｃ又は位置ｂ−ｃの一方にあるやり方でこれらスイッチを制御する。さらに、スイッチ４及び１０を交互に介して、一方又は他方の入力信号のシンボルがそれらの対応する確率信号を算術符号器１８に供給する。このやり方で、前記２つの信号成分がインターリーブされ、次いでこの算術符号器１８によって符号化される。
予測フィルタ６，８及び確率決定ユニット１２，１４の様々な実施例が可能である。ある実施例では、予測フィルタ及び確率決定ユニットは、それらの動きが正しく変化しないという意味では、静的（固定された）ユニットである。次の実施例において、予測フィルタ６，８が適応可能であるので、それらは入力信号特性の変化に適応する。他の実施例において、確率決定ユニット１２，１４が（もまた）適応可能である。適応可能であるとき、入力信号のシリアルビットストリームは、情報のフレームに細分割され、各フレームに対し、予測フィルタ及び確率決定ユニットは、フレームの内容に適応する。つまり、フレームにおける信号内容の最適な予測を得るために、予測フィルタの係数が導出され、これらの確率はフレーム内の本来のデジタル情報信号と予測フィルタの対応する多値出力信号とを比較することによって導出される。
多値出力信号の値範囲における複数の部分区間の各々に対し、多値出力信号がこの部分区間の範囲内にあるとき、情報信号のｎレベルの各々の確率は、特定の時間間隔（例えば１フレーム）間で、ｎレベルの各々が起こる数を計算することで得られる。例えばｎ＝３且つ情報信号のレベルが−１，０及び＋１である場合、予測フィルタの多値出力信号は、例えば−３から＋３の範囲にすることができる。この範囲のある部分区間は例えば１から１．５の範囲にすることができる。多値出力信号が１から１．５の範囲にあるとき、前記レベルの各々に対し得られた数は、レベル−１，０及び＋１に対しそれぞれ１０００，３０００及び６０００である。確率は、多値出力信号が１から１．５の範囲の部分区間にあるとき、これらのレベルに対しそれぞれ０．１，０．３及び０．６となる。
第２図は、多重チャンネル情報信号を算術的に符号化するデータ圧縮装置の第２実施例を示す。第２図の装置は、第２図の装置がそれぞれ予測フィルタ６及び８の出力部に結合される入力部を持つ量子化ユニット２６及び２８を含んでいるという点で第１図の装置とは異なる。さらに、信号組合せユニット３０及び３２は、入力端子１及び２とそれぞれ結合する第１入力部と、量子化ユニット２６及び２８の出力部とそれぞれ結合する第２入力部と、スイッチ４及び１０のａ端子とそれぞれ結合する出力部とを有する。
予測フィルタユニット６、確率決定ユニット１２’、信号組合せユニット３０及び量子化ユニット２６の機能は以下のようである。量子化ユニット２６は、この予測フィルタユニット６の多値信号を入力端子１に与えられるｎレベルの出力信号に量子化するのに適し、これはｎレベルの情報信号の予測バージョンである。１ビットのビットストリーム信号、ｎ＝２の場合に対し、この情報信号の予測バージョンが‘ｚｅｒｏｅｓ’且つ‘ｏｎｅｓ’の直列のデータストリーム形態の信号でもある。信号組合せユニット３０は、残差信号を得るためにこれら情報信号と情報信号の予測バージョンとを減法で組合せ、これはその出力部に供給される。残差情報信号を生成することの利点は、ｎレベルの情報信号とそれの予測バージョンとを組み合わせることで、残差信号における零レベルを持つシンボルの確率は十分増加する。これは算術符号器１８における後続するデータ圧縮を容易にする。
確率決定ユニット１２’は、１つ以上の確率値（その数はｎに依存する）を生成し、この組合せユニットによって供給される残差情報信号のシンボルが既定値を持つ確率を示す。これ（ら）の確率値は、従って算術符号器１８における後続するデータ圧縮を可能にするために、この残差信号における対応シンボルと一緒に算術符号器に供給される。
残差信号をデータ圧縮する確率値は、予測フィルタ６からの予測信号から得られ、残差信号自身からではないことに注意すべきである。これはより高いデータ圧縮比が算術符号器１８に使われるという利点がある。
上述のように、フィルタ６及びユニット１２’の両方が存在する、即ちこれらが接続可能である。予測フィルタ６は、多値出力信号を得るために、ｎレベルの情報信号に関する予測フィルタリングを実現する。この多値出力信号は、例えば＋３から−３の範囲内にある。量子化器２６はこの多値出力信号を入力し、前記多値出力信号が＋１よりも大きい場合、値‘＋１’を割り当て、前記多値予測信号が−１よりも小さい場合、値‘−１’を割り当て、及び前記多値予測信号が−１と＋１との間にある場合、値‘０’を割り当てることで、そこから（例えばｎ＝３且つ前記レベルが−１，０及び＋１から）ｎレベルの情報信号の予測バージョンを生成する。
残差情報信号は、値‘−２’，‘−１’，‘０’，‘＋１’及び‘＋２’を持つ。多値出力信号の値範囲における複数の部分区間の各々に対し、確率は残差信号の対応値が例えば‘＋１’であることを決定する。前記ユニット１２’の適応可能な実施例において、多値出力信号が上記範囲の一つにあるとき、特定の時間間隔中に、残差情報信号に起こる‘＋２’ｓ，‘＋１’ｓ，‘０’ｓ‘−１’ｓ及び‘−２’ｓの数を合計することで実現される。多値出力信号の様々な値をもたらす確率は、結果的に確率信号として算術符号器１８に供給される。
予測フィルタユニット８，確率決定ユニット１４’、信号組合せユニット３２及び量子化器ユニット２８の機能は、上述の機能と同じであり、よって更なる説明は必要としない。
スイッチ４によって両方の残差信号を合成残差信号に多重化し、スイッチ１０によって前記確率を多重化した後、算術符号器１８は、前記合成残差信号に関するデータ圧縮を実行し、送信媒体を介して送信し又は記録する、端子２２に供給されるデータ圧縮された出力信号となる。
第３図は、データ圧縮された信号を復号するデータ伸張装置の実施例を示し、この圧縮信号は、第１図の符号器によって光学記録担体のような送信媒体又は記録担体を介して復号器に供給される。第３図は、算術復号器４２の入力部に結合される入力端子４０を持つ伸張装置を示す。この復号器は、出力部４６に供給される合成情報信号のレプリカを生成するために、制御入力部４４に供給される確率信号ｐの影響下で、データ圧縮された合成情報信号に関する算術復号ステップを実行する。この復号器４２の出力部４６は、スイッチ４８のｃ端子に結合され、このスイッチは出力端子５２と予測フィルタ５６の入力部とに結合されるａ端子を有する。さらにスイッチ４８のｂ端子は、出力端子５４と予測フィルタ５８の入力部とに結合される。予測フィルタ５６の出力部は、確率決定ユニット６０の入力部に結合される。この確率決定ユニット６０は、スイッチ５０のａ端子に結合される出力部を有する。予測フィルタ５８の出力部は、確率決定ユニット６２の入力部に結合される。確率決定ユニット６２は、スイッチ５０のｂ端子に結合される出力部を有する。スイッチ５０のｃ端子は、復号器４２の制御入力部４４に結合される。
更に、制御ユニット６４は、制御可能なスイッチ４８及び５０にスイッチング制御信号を供給するのに利用可能である。
第３図のデータ伸張装置は、第１図の装置における予測フィルタ及び確率決定ユニットが固定される場合、第３図の装置における予測フィルタ及び確率決定ユニットは固定される、即ち、第１図の装置における予測フィルタ及び確率決定ユニットは適応可能である場合、第３図の装置におけるフィルタ及び確率決定ユニットも適応可能であるという意味においては第１図のデータ圧縮装置を補足するものである。
前記フィルタが適応可能であるとき、サイド情報を前記圧縮装置から伸張装置へ送信することを必要とする。上記サイド情報はフィルタ係数を含んでいる。確率決定ユニットが適応可能であるとき、サイド情報を前記伸張装置に送信することを必要とし、上記サイド情報は前記フィルタによって供給された多値情報信号をこの確率決定ユニットによってそれに応じて生成される確率に変換することに関する情報を有する。
合成圧縮された信号におけるシンボルは、第１図の装置の入力端子１に与えられる情報信号に属し、復号器４２において復号するのに有用（即ち、データ伸張のための準備が整えられている）であるとき、制御ユニット６４は、スイッチ５０が位置ａ−ｃにセットされるような制御信号を生成するので、確率決定ユニット６０によって生成され、前記シンボルに対応する確率値が前記復号器４２の制御入力部４４に与えられる。さらに、スイッチ４８も位置ａ−ｃにセットされるので、出力部４６で起こる復号されたシンボルが出力端子５２に供給される。
合成圧縮信号におけるシンボルが第１図の装置の入力端子２に与えられる情報信号に属し、復号器４２において復号するのに有用である（即ちデータ伸張のための準備が整えられている）とき、制御ユニット６４は、スイッチ５０が位置ｂ−ｃにセットされるような制御信号を生成するので、確率決定ユニット６２によって生成され、前記シンボルに対応する確率値は、前記シンボルに対応する確率値が復号器４２の制御入力部４４に与えられる。さらに、スイッチ４８も位置ｂ−ｃにセットされるので、出力部４６で起こる復号シンボルが出力端子５４に供給される。このやり方で、本来の情報信号が再び生成される。
第４図は、データ圧縮された信号を復号するデータ伸張装置を示し、この信号は第２図の装置から送信又は記録媒体を介して入力される。第４図の装置は、第４図の装置が更に量子化器７０及び７２と、信号組合せユニット７４及び７６とを有するという違いを持つが、第３図の装置とよく似たものを示す。量子化器７０は、予測フィルタ５６の出力部に結合する入力部と、信号組合せユニット７４の第１入力部に結合する出力部とを持つ。信号組合せユニット７４は、スイッチ４８のａ端子に結合する第２入力部を有する。前記信号組合せユニット７４の出力部は、出力端子５２及び予測フィルタ５８の入力部に結合する。量子化器７２は予測フィルタ５８の出力部に結合する入力部と、信号組合せユニット７６の第１入力部に結合する出力部とを有する。信号組合せユニット７６は、スイッチ４８のｂ端子に結合する第２入力部を有する。信号組合せユニット７６の出力部は、出力端子５４及び予測フィルタ５８の入力部に結合する。
復号器４２は、入力端子４０を介してデータ圧縮された残差合成信号を入力する。この復号器４２は、確率信号ｐの影響下で、このデータ圧縮された残差合成信号に関する算術復号ステップを実行する。この信号ｐはスイッチ４８のｃ端子に供給される本来の残差合成信号のレプリカを生成するために制御入力部４４に供給される。制御ユニット６４で生成されるスイッチング制御信号の影響下で、この合成信号は本来の残差信号のレプリカに分割される。これらの残差信号は信号組合せユニット７４及び７６の第２入力部に供給される。これらユニットの第１入力部を介して、当該ユニットが本来の情報信号の予測バージョンを入力するので、信号組合せユニットにおいて添加という意味で情報信号の予測バージョンとそれの対応する残差信号とが組み合わせることによって本来の情報信号のレプリカが得られる。
予測フィルタ５６及び５８と、量子化器７０及び７２と、確率決定ユニット６０及び６２との機能は第２図の装置における対応素子の機能と再び同じである。
第１図及び第２図の実施例に用いられた算術符号器は、データ圧縮信号を得るために確率信号を用いたｎレベル信号（ｎレベルの合成情報信号又はｎレベルの合成残差信号の一方）を符号化するのに適している。算術符号器を用いる代わりに、公知の有限状態符号器を用いることも可能である。第２図の実施例で用いた算術符号器は、ｎレベルの情報信号のレプリカを得るために、確率信号を用いたデータ圧縮情報信号を復号するのに適する。
第５図は、記録装置の形態である送信装置の実施例を示す。この記録装置は、第１図又は第２図に示されるデータ圧縮装置を有する。この記録装置は更に第１図又は第２図の装置によって記録担体１０８上のトラックに生成されるデータ圧縮信号を書き込む書き込みユニット１０６を有する。本実施例において、記録担体１０８は磁気記録担体であるから、この書き込みユニット１０６は、記録担体１０８にデータ圧縮されたｎレベル情報信号を書き込む磁気ヘッドを少なくとも１つ有する。しかしながらこの記録担体は、例えばＣＤディスク又はＤＶＤディスクのような光学記録担体１０９でよい。
例えば無線周波数リンク又は記録担体のような送信媒体を介した送信は、送信すべきデータ圧縮信号に関して実行するチャンネル符号化及び誤り訂正符号化を通例は必要とする。第５図は、このような信号処理ステップを示す。第５図の記録装置は従って、公知の誤り訂正復号器１０２及び公知のチャンネル復号器１０４を有する。
第６図は、受信装置に含まれる第３図又は第４図のデータ伸張装置を示し、これは再生装置の形態である。この再生装置は更に、記録担体１０８上のトラックからデータ圧縮合成信号を読み出す読み出しユニット１１２を有する。本実施例において、記録担体１０８は磁気記録担体であるから、この読み出しユニット１１２はデータ圧縮されたｎレベルの情報信号を記録担体１０８から読み出す磁気ヘッド１１４を少なくとも１つ有する。しかしながら、この記録担体は例えばＣＤディスク又はＤＶＤディスクのような光学記録媒体でもよい。
上記に説明したように、無線周波数リンク又は記録担体のような送信媒体を介する送信は、送信すべきデータ圧縮されたｎレベルの情報信号上で実行されるチャンネル復号及び誤り訂正復号を通例は必要とするので、対応するチャンネル復号及び誤り訂正復号が受信器内で実行可能である。第６図は、読み出し手段１１２によって入力された、受信信号上で実行する誤り訂正及びチャンネル復号の信号処理ステップを示す。第６図の再生装置は従って、データ圧縮されたｎレベルの情報信号を得るために、公知のチャンネル復号器１１６、公知の誤り訂正ユニット１１８を有する。
本発明が望ましい実施例を参照して説明されたのに対し、これらが限定した実施例ではないことを理解されたい。よって、本発明の範囲を逸脱することなく、請求項に定義したように、様々な改良が当業者には明らかである。
更に、本発明は各新規特徴及び全ての新規特徴又は特徴の組合せでもある。
参考文献
Ｄ１  F.Bruekers他著“Improved lossless coding of 1-bit audio signals”103回AES会議７年９月26-29、予稿4563
Ｄ２  G.G.Langdon著“An introduction to arithmetic coding”IBM J.Res.Develop.Vol,28,pp.135-49,1984年３月
Ｄ３  P.G.Howard他著“Arithnetic coding for data compression”Proc.Of the IEEE,1994
【図１】
0004179639.tif 000002
【図２】
0004179639.tif 000003
【図３】
0004179639.tif 000004
【図４】
0004179639.tif 000005
【図５】
0004179639.tif 000006
【図６】
0004179639.tif 000007